(57)【要約】【課題】水浸透を検知することが可能な遮水層付きケーブルを提供する。【解決手段】遮水層付きケーブル２１は、導体５、内部半導電層６、絶縁体７、及び外部半導電層８を有するケーブルコア２と、このケーブルコア２の外側に設けられるシース３とを備えるとともに、ケーブルコア２とシース３との間に遮水層４を備える。また、遮水層付きケーブル２１は、遮水層４とケーブルコア３との間に、絶縁性を有し且つ水分に対する透過性を有する絶縁透水層２３を備え、この絶縁透水層２３の内側及び外側に、導電性を有する内側導通手段２４及び外側導通手段２５を備える。【選択図】図１
2007109589.tif 000002
【特許請求の範囲】
【請求項１】
導体、内部半導電層、絶縁体、及び外部半導電層を有するケーブルコアと、該ケーブルコアの外側に設けられるシースとを備えるとともに、前記ケーブルコアと前記シースとの間に遮水層を備えてなる遮水層付きケーブルにおいて、
前記遮水層と前記ケーブルコアとの間に、絶縁性を有し且つ水分に対する透過性を有する絶縁透水層を備え、該絶縁透水層の内側及び外側には、導電性を有する内側導通手段及び外側導通手段を備える
ことを特徴とする遮水層付きケーブル。
【請求項２】
請求項１に記載の遮水層付きケーブルにおいて、
前記外側導通手段を前記絶縁透水層と前記遮水層との間に介在する部材とし、前記外側導通手段を前記遮水層の重ね合わせ部分の位置に合わせて配置する
ことを特徴とする遮水層付きケーブル。
【請求項３】
請求項１に記載の遮水層付きケーブルにおいて、
前記外側導通手段を前記遮水層の内面に一体化する
ことを特徴とする遮水層付きケーブル。
【発明の詳細な説明】
【技術分野】
【０００１】
本発明は、ケーブルコアとシースとの間に遮水層を備えてなる遮水層付きケーブルに関する。
【背景技術】
【０００２】
従来の電力ケーブルにおいて、軟質塩化ビニル樹脂組成物等からなるシースは、ケーブル内部への水浸透を完全に遮断できないことが知られている。そこで、遮水層付きケーブルが提案されている（例えば特許文献１参照）。
【０００３】
図２において、従来の遮水層付きケーブル１は、ケーブルコア２と、シース３と、これらの間に介在する遮水層４とを備えて構成されている。ケーブルコア２は、導体５と、内部半導電層６と、絶縁体７と、外部半導電層８とを備えて構成されている。
【０００４】
遮水層４は、シース３の内側に設けられている。遮水層４は、公知の遮水テープからなるものであって、この内側の部材に対して縦添えされるように設けられている。ケーブルコア２と遮水層４との間には、外導テープ９と遮蔽銅テープ１０と半導電性押さえテープ１１とが設けられている。外導テープ９はケーブルコア２の外側に設けられ、半導電性押さえテープ１１は遮水層４の内側に設けられている。
【０００５】
シース３は、軟質塩化ビニル樹脂組成物等を用いて成形性されている。尚、このような樹脂組成物からなるシース３は、ケーブルの敷設状態や使用状態により透過吸水が変わってしまうことが知られている。
【特許文献１】実開平５−１７８４９号公報
【発明の開示】
【発明が解決しようとする課題】
【０００６】
遮水テープからなり縦添えによって設けられる遮水層４では、重ね合わせ部分１２があることから、ケーブル内部への水浸透を完全に遮断することができないという恐れを有している。このような上記従来技術にあっては、次のような問題点を有している。すなわち、水浸透の有無についてケーブル構造上、例えば定期検査の際に判断することができないという問題点を有している。
【０００７】
本発明は、上述した事情に鑑みてなされたもので、水浸透を検知することが可能な遮水層付きケーブルを提供することを課題とする。
【課題を解決するための手段】
【０００８】
上記課題を解決するためになされた請求項１記載の本発明の遮水層付きケーブルは、導体、内部半導電層、絶縁体、及び外部半導電層を有するケーブルコアと、該ケーブルコアの外側に設けられるシースとを備えるとともに、前記ケーブルコアと前記シースとの間に遮水層を備えてなる遮水層付きケーブルにおいて、前記遮水層と前記ケーブルコアとの間に、絶縁性を有し且つ水分に対する透過性を有する絶縁透水層を備え、該絶縁透水層の内側及び外側には、導電性を有する内側導通手段及び外側導通手段を備えることを特徴としている。
【０００９】
このような特徴を有する本発明によれば、遮水層の内側まで仮に水浸透があった場合に、絶縁透水層が水分を含むことになる。本発明によれば、絶縁透水層の内外に内側導通手段及び外側導通手段を備えることから、例えば、定期検査の際に内側導通手段と外側導通手段との間の導通有無を検査すれば、水浸透が生じているか否かを判断することが可能となる。
【００１０】
請求項２記載の本発明の遮水層付きケーブルは、請求項１に記載の遮水層付きケーブルにおいて、前記外側導通手段を前記絶縁透水層と前記遮水層との間に介在する部材とし、前記外側導通手段を前記遮水層の重ね合わせ部分の位置に合わせて配置することを特徴としている。
【００１１】
このような特徴を有する本発明によれば、水浸透の生じ易い場所に外側導通手段を配置することになる。本発明によれば、水浸透の発生有無を効率よく、また、より確実に判断することが可能となる。尚、ここでの外側導通手段は、ドレンワイヤなどが一例として挙げられるものとする。
【００１２】
請求項３記載の本発明の遮水層付きケーブルは、請求項１に記載の遮水層付きケーブルにおいて、前記外側導通手段を前記遮水層の内面に一体化することを特徴としている。
【００１３】
このような特徴を有する本発明によれば、少ない構成で水浸透の発生有無を判断することが可能となる。尚、ここでの外側導通手段は、遮水層の内面に設ける金属箔層などが一例として挙げられるものとする。
【発明の効果】
【００１４】
請求項１に記載された本発明によれば、水浸透を検知することができるという効果を奏する。請求項２に記載された本発明によれば、水浸透の発生有無を効率よく、また、より確実に判断することができるという効果を奏する。請求項３に記載された本発明によれば、少ない構成で水浸透の発生有無を判断することができるという効果を奏する。
【発明を実施するための最良の形態】
【００１５】
以下、図面を参照しながら説明する。図１は本発明の遮水層付きケーブルの一実施の形態を示す構成図である。尚、従来例と同一の構成部材には同一の符号を付して詳細な説明を省略する。
【００１６】
図１において、本発明の遮水層付きケーブル２１は、ケーブルコア２、外導テープ９、水浸透検知手段２２、遮水層４、及びシース３を内側から順に備えて構成されている。ケーブルコア２は、従来同様、導体５と、内部半導電層６と、絶縁体７と、外部半導電層８とを備えて構成されている。外導テープ９は、ケーブルコア２の外側に、すなわち外部半導電層８の外側に設けられている。水浸透検知手段２２は、絶縁透水層２３と、この内外に設けられる内側導通手段２４及び外側導通手段２５とを備えて構成されている。遮水層４は、シース３の内側において縦添えによって設けられている。
【００１７】
本発明の遮水層付きケーブル２１は、水浸透検知手段２２を備えることを特徴としており、この水浸透検知手段２２を構成する絶縁透水層２３は、絶縁性を有し且つ水分に対する透過性を有するものとして設けられている。具体的には、不織布テープなどが絶縁透水層２３の一例として挙げられるものとする。絶縁透水層２３は、従来の半導電性押さえテープ１１（図２参照）のような押さえテープとしての機能を有している。
【００１８】
内側導通手段２４は、導電性を有している。内側導通手段２４は、絶縁透水層２３と外導テープ９との間に設けられている。内側導通手段２４は、絶縁透水層２３の内面に接するように設けられている。尚、内側導通手段２４は、従来の遮蔽銅テープ１０と同じであってもよいものとする。
【００１９】
外側導通手段２５は、導電性を有している。外側導通手段２５は、絶縁透水層２３と遮水層４との間に設けられている。外側導通手段２５は、例えばドレンワイヤであって、遮水層４の重ね合わせ部分１２の位置に合わせて配置されている。外側導通手段２５は、絶縁透水層２３の外面に接するように設けられている。外側導通手段２５は、ケーブル全長に合わせて長く設けられている。尚、遮水層４の内面全体に一体に金属箔層などを設ける場合には、この金属箔層などを外側導通手段２５としてもよいものとする。
【００２０】
上記構成において、遮水層４の内側まで仮に水浸透があった場合に、絶縁透水層２３が水分を含むことになる。本発明によれば、例えば、定期検査の際に内側導通手段２４と外側導通手段２５との間の導通有無を検査すれば、水浸透が生じているか否かを判断することができる。本発明によれば、より良いケーブルとして遮水層付きケーブル２１を提供することができる。
【００２１】
その他、本発明は本発明の主旨を変えない範囲で種々変更実施可能なことは勿論である。
【図面の簡単な説明】
【００２２】
【図１】本発明の遮水層付きケーブルの一実施の形態を示す構成図である。
【図２】従来例の遮水層付きケーブルの構成図である。
【符号の説明】
【００２３】
２  ケーブルコア
３  シース
４  遮水層
５  導体
６  内部半導電層
７  絶縁体
８  外部半導電層
１２  重ね合わせ部分
２１  遮水層付きケーブル
２２  水浸透検知手段
２３  絶縁透水層
２４  内側導通手段
２５  外側導通手段
【図１】
2007109589.tif 000003
【図２】
2007109589.tif 000004